(57)【要約】【課題】  傾斜角度自在の縦格子フェンスの上枠の下向き開口溝に指を差し込むことによって，上枠に軸支固定した縦小桟の切断面によって怪我をする可能性を解消する。【解決手段】  上枠１の下向き開口溝１２に挿入して軸支固定した縦小桟３の上端にキャップ４を嵌着して縦小桟３の切断面を覆うとともにキャップ４上に直立円弧板による１／４乃至１／４円程度の突出フィン４３を設置し，その頂部４２が上枠１の天壁１３に近接配置することによって，フェンスＡの傾斜角度の如何に拘らずキャップ４の上端と天壁１３の近接した間隔を常に一定不変とすることによって，指を差し入れてキャップ４を外そうとしても天壁１３がこれを阻止してキャップ４を縦小桟３に常に嵌挿した状態として，指差し込み可能性に対する高度な安全性を確保する。【選択図】        図４
2005068854.tif 000002
【特許請求の範囲】
【請求項１】
対向枠と，該対向枠に長手方向両端を回動自在に軸支固定した中空金属製の交差桟とを備えて傾斜角度自在の設置を可能としたフェンスであって，上記交差桟の中空部に脚部を嵌挿することによって該交差桟の長手方向一方又は双方の端部にその切断面を覆うようにキャップを嵌着するとともに該キャップの先端をその上記脚部の嵌挿深さより小さな寸法とした近接間隔でキャップ嵌着側対向枠の枠幅方向壁面に近接配置してなることを特徴とする傾斜設置自在フェンス。
【請求項２】
上記キャップの先端を，キャップ嵌着側対向枠の少なくとも枠長手方向に交差桟の軸支位置を中心とする円形乃至その類似形状の頂部を備えてフェンスの傾斜角度を問わずに上記キャップの先端と対向枠壁面との近接間隔を常時可及的不変に保持してなることを特徴とする請求項１に記載の傾斜設置自在フェンス。
【請求項３】
上記キャップの先端に形成した頂部を，先端面から対向枠壁面に向けて突出した突出フィンによって形成してなることを特徴とする請求項２に記載の傾斜設置自在フェンス。
【請求項４】
上記対向枠を上下枠，交差桟を縦小桟とし且つ上記キャップ嵌着を縦小桟の長手方向一方の上端としてなることを特徴とする請求項１，２又は３に記載の傾斜設置自在フェンス。
【発明の詳細な説明】
【技術分野】
【０００１】
本発明は，フェンスに関し，特に対向枠に交差桟を配置して傾斜角度自在の設置を可能とした傾斜設置自在フェンスに関する。
【背景技術】
【０００２】
この種フェンスとして，上下枠又は左右縦枠による対向枠と，該対向枠に長手方向両端を回動自在に軸支固定した中空金属製の縦桟又は横桟による交差桟とを備えて傾斜角度自在の設置を可能としたものが知られており，この場合，交差桟の回動自在の軸支固定は，例えば交差桟の両端を，対向枠に対向方向に開口するように配置した開口溝に挿入するか又は対向枠から起立したフィンを跨ぐように配置し，対向枠の側面又は交差桟からのリベット等軸支金具によって行なうものとされる。
【発明の開示】
【発明が解決しようとする課題】
【０００３】
この場合，フェンスは，例えば玄関等の階段やスロープ等の傾斜地における仕切体や手摺体をなすように任意の傾斜角度に設置することが可能となるが，例えば上下枠に縦小桟を配置したフェンスにあって，これを階段のように傾斜角度が比較的急な箇所に設置すると，例えば上下枠，特に上枠が傾斜することによって，その開口溝の天壁やフィン起立の枠対向壁等，上枠幅方向に配置されている壁面と，垂直に配置されている縦小桟の上端の間隔が縦小桟の片側の側面において離隔する結果，例えば傾斜した上枠の上側，階段であれば上段側から開口溝乃至枠面との空隙に指を差し込むと，縦小桟上端には一般に長尺の部材を切断することによって形成された切断面が露出した状態とされているため，指がこの切断面に接触する可能性があり，特に好奇心が旺盛な児童や生徒が上枠の開口溝や枠面との空隙に指を差し込んで中を探るようなことをすると，縦小桟上端の切断面によって指先に思わぬ怪我をする危険を招くこともある。
【０００４】
このような危険を解消するためには，対向枠に回動自在に軸支固定された交差桟の端部，例えば縦小桟の上端にキャップを嵌着して切断面の露出を防止することが想定されるが，児童や生徒には，キャップが指に接触することによって，更に好奇心からそのキャップを外す行動に出る可能性も否定できず，キャップを外すと，同じく縦小桟の切断面が露出した状態となるために，キャップを嵌着したからといって，必ずしも問題の解決にはならない。
【０００５】
本発明は係る事情に鑑みてなされたもので，その解決課題とするところは，交差桟の端部にキャップを嵌着するとともに該キャップを外すことができないようにすることによって，交差桟の切断面による怪我の可能性を解消して指差し込み可能性に対する安全性を確保した傾斜角度自在フェンスを提供するにある。
【課題を解決するための手段】
【０００６】
上記課題に沿って，本発明は，脚部を交差桟の中空部に嵌挿することによって交差桟にキャップを嵌着したキャップ付交差桟を用いる一方，該キャップの先端面が対向枠に配置した幅方向の壁面に近接配置して，キャップを外そうとしても壁面との間隔を脚部嵌挿の寸法より小さくすることにより，取り外しに必要な間隔寸法が不足するようにし，取り外しを物理的に不能として，上記交差桟の切断面による怪我の可能性を解消するようにしたものであって，即ち請求項１に記載の発明を，対向枠と，該対向枠に長手方向両端を回動自在に軸支固定した中空金属製の交差桟とを備えて傾斜角度自在の設置を可能としたフェンスであって，上記交差桟の中空部に脚部を嵌挿することによって該交差桟の長手方向一方又は双方の端部にその切断面を覆うようにキャップを嵌着するとともに該キャップの先端をその上記脚部の嵌挿深さより小さな寸法とした近接間隔でキャップ嵌着側対向枠の枠幅方向壁面に近接配置してなることを特徴とする傾斜設置自在フェンスとしたものである。
【０００７】
請求項２に記載の発明は，上記に加えて，フェンスの傾斜角度如何を問わずに上記キャップと壁面との近接間隔を可及的不変に保持することによって，キャップ取り外しの不能性を常に維持し指差し込み可能性に対する安全性を高度に確保したものとするように，これを，上記キャップの先端を，キャップ嵌着側対向枠の少なくとも枠長手方向に交差桟の軸支位置を中心とする円形乃至その類似形状の頂部を備えてフェンスの傾斜角度を問わずに上記キャップの先端と対向枠壁面との近接間隔を常時可及的不変に保持してなることを特徴とする請求項１に記載の傾斜設置自在フェンスとしたものである。
【０００８】
請求項３に記載の発明は，同じく上記に加えて，キャップを可及的に簡易且つ安価に形成するとともに上記キャップの取り外し不能性を確実に確保し得るものとするように，これを，上記キャップの先端に形成した頂部を，先端面から対向枠壁面に向けて突出した突出フィンによって形成してなることを特徴とする請求項２に記載の傾斜設置自在フェンスとしたものである。
【０００９】
請求項４に記載の発明は，同じく上記に加えて，フェンスを階段や傾斜地において標準的な外観デザインの縦格子のフェンスとするとともに該縦格子のフェンスにおいて指の差し込みが想定される縦小桟の上端の安全性を確保することによって有効且つ効率的に指差し込み可能性に対する安全性を確保したものとするように，これを，上記対向枠を上下枠，交差桟を縦小桟とし且つ上記キャップ嵌着を縦小桟の長手方向一方の上端としてなることを特徴とする請求項１，２又は３に記載の傾斜設置自在フェンスとしたものである。
【００１０】
本発明はこれらをそれぞれ発明の要旨として上記課題解決の手段としたものである。
【００１１】
なお本発明にあっては，対向枠を左右縦枠，交差桟を横小桟とし且つ上記キャップ嵌着を横小桟の長手方向双方の左右端とした横格子のフェンス形態を含み，この場合キャップ嵌着は横小桟の長手方向両端とし，両端各キャップの先端面がそれぞれ左右縦枠の壁面に近接配置するのが好ましい。
【発明の効果】
【００１２】
請求項１に記載の発明は，交差桟の端部にキャップを嵌着するとともに該キャップを外すことができないようにすることによって，交差桟の切断面による怪我の可能性を解消して指差し込み可能性に対する安全性を確保した傾斜角度自在フェンスを提供することができる。
【００１３】
請求項２に記載の発明は，上記に加えて，フェンスの傾斜角度如何を問わずに上記キャップと壁面との近接間隔を可及的不変に保持することによって，キャップ取り外しの不能性を常に維持し指差込み可能性に対する安全性を高度に確保したものとすることができる。
【００１４】
請求項３に記載の発明は，同じく上記に加えて，キャップを可及的に簡易且つ安価に形成するとともに上記キャップの取り外し不能性を確実に確保したものとすることができる。
【００１５】
請求項４に記載の発明は，同じく上記に加えて，フェンスを階段や傾斜地において標準的な外観デザインの縦格子のフェンスとするとともに該縦格子のフェンスにおいて指の差し込みが想定される縦小桟の上端の安全性を確保することによって有効且つ効率的に指差し込み可能性に対する安全性を確保したものとすることができる。
【発明を実施するための最良の形態】
【００１６】
以下図面の例に従って本発明を更に具体的に説明すれば，Ａは，例えばアルミ押出形材を加工組立することによってアルミ製としたフェンスであり，該フェンスＡは，対向枠と，該対向枠に長手方向両端を回動自在に軸支固定した中空金属製の交差桟とを備えて傾斜角度自在の設置を可能としてあり，本例にあって上記対向枠を上下枠１，２，交差桟を縦小桟３とした縦格子フェンスとしてある。
【００１７】
即ち本例の縦格子フェンスＡにあって，対向枠の上下枠１，２は，その上枠１を，下向きの開口溝１２を備えて下向きコ字状とし，両側面に凹陥溝を形成した枠本体１１と，該枠本体１１の上記凹陥溝を閉塞する閉塞プレート１４とを備えたものとし，その下枠２を，中空方形乃至矩形の基部２１と該基部２１の幅方向中央位置に起立した起立フィン２２とを備えたものとする一方，交差桟の縦小桟３は，これを中空方形乃至矩形の細桟とし，正面及び背面の上下端を水平に切断したものとしてある。
【００１８】
縦小桟３は，上記上枠１の開口溝１２にその上端を挿入し，上枠１の両側面における凹陥溝の垂直壁から縦小桟３に対してリベット等の軸支金具１５を貫通係止し，該軸支金具１５によって上枠１に回動自在に軸支固定する一方，下端には脚部を嵌挿することによって正背面において逆三角形を呈する下端ブロック２３を固定し，その下枠長手方向に向けて形成したスリットに上記起立フィン２２を受け入れ，該起立フィン２２を跨ぐように下端ブロック２３を介して下枠２の基部２１に載置状とし，該起立フィン２２を介して軸支ピン等の軸支金具２４を下端ブロック２３の正背面に貫通係止することによって，同じく該軸支金具２４によって下枠２に回動自在に軸支固定し，これら上下端の軸支固定によって，上下枠１，２間で多数等間隔に配置した縦小桟３が上下枠１，２の傾斜角度に拘らず常に垂直に配置するようにしてあり，このとき上記凹陥溝には閉塞プレート１４を装着して縦小桟３上端の軸支金具１５をカバーし，該軸支金具１５が露出して外観を損なうのを防止してある。
【００１９】
交差桟とした多数等間隔の縦小桟３は，それぞれその中空部に脚部４４を嵌挿することによって該縦小桟３の長手方向一方又は双方の端部，本例にあっては縦小桟３の長手方向一方の上端にその切断面を覆うようにキャップ４を嵌着するとともに該キャップ４の先端をその上記脚部４４の嵌挿深さより小さな寸法とした近接間隔でキャップ４嵌着側対向枠，本例にあっては上枠１の枠幅方向壁面に近接配置したものとしてあり，本例の上記キャップ４の先端は，これを，キャップ４嵌着側対向枠，本例にあっては上枠１の少なくとも枠長手方向に縦小桟３の軸支位置を中心とする円形乃至その類似形状の頂部を備えてフェンスＡの傾斜角度を問わずに上記キャップ４の先端と上枠１壁面との近接間隔を常時可及的不変に保持してあり，該キャップ４の先端に形成した頂部４２は，これを，先端面から対向枠壁面に向けて突出した突出フィン４３によって形成したものとしてある。
【００２０】
本例にあってキャップ４は合成樹脂，例えばポリアセタール樹脂の廃材を再利用して射出成形した一体のものとしてあり，交差桟，即ち縦小桟３の切断面を覆うように該縦小桟３の断面外形に合せたキャップ基部４１と，該キャップ基部４１の上面に形成した頂部４２と，逆にキャップ基部４１の下方に形成した脚部４４を備えた樹脂部材によるものとしてあり，本例にあって上記キャップ基部４１は，これを１〜２ｍｍ程度の厚さの，例えば平坦なプレートをなすキャップ基板によって形成し，また上記頂部４２は，これを該キャップ基板の面内中間位置，特に中央位置に起立した，最大高さを７〜８ｍｍとする単一にして同じく１〜２ｍｍ程度の厚さの突出フィン４３によって形成してあり，このとき該突出フィン４３は，上枠１の枠長手方向に縦小桟３の軸支位置を中心とする円弧に沿うようにその縁部を円形とした，例えば略１／４円乃至１／３円程度の直立円弧板をなすものとしてある。
【００２１】
このときフェンスＡにあって該キャップ４の上記頂部４２をなす突出フィン４３は，その縁部を，上枠１壁面，本例にあっては上枠１の手摺面をなすように湾曲したウエブによる天壁１３に近接配置してあり，本例にあって該近接間隔は，上記キャップ４における脚部４４の嵌挿深さ，例えば７〜８ｍｍ乃至１ｃｍ程度に比して格段に小さい数ｍｍ以下の，本例では１〜２ｍｍ程度の間隔としてある。
【００２２】
このように構成することによって，対向枠の上下枠１，２が水平部位から傾斜部位まで傾斜角度に応じてその角度を変化するとともに交差桟の多数等間隔配置の縦小桟３が常時垂直に配置されることによって，例えばフェンスＡを玄関の階段やスロープの傾斜地に外観デザインよく設置することができるが，上下枠１，２が傾斜することによって，屈み込む必要がある下枠１側の縦小桟３下端に触れることは一般にないが，例えば児童や生徒が上枠１の開口溝１２に指を差し込み，またキャップ４の存在に気付いてこれを外そうとする可能性が生じるところ，本例にあっては指を差し込んでもキャップ４が縦小桟３の上端切断面を覆うことにより指が該切断面に触れることがないし，またキャップ４を外そうとしても，上枠１の壁面１３との間隔を脚部４４嵌挿の寸法より小さくすることによって，取り外しに必要な間隔寸法が不足するようにして，取り外しを物理的に不能とする。このとき本例にあっては近接間隔を，上記脚部４４の嵌挿深さに対して格段に小さい数ｍｍ以下，特に１〜２ｍｍ程度としたことによって，例えば近接間隔がこれより大きい，例えば５ｍｍ以上とした場合に想定される，脚部４４が交差桟の縦小桟３に遊嵌状になって外れかかり，その切断面が部分的に露出するといった可能性を防止し，外す外力が加わっても，常に脚部４４の全体が縦小桟３に対して嵌挿状態にあるか，樹脂の弾性で嵌挿状態に復帰するようにしてその外れを有効に阻止して安全性を確保することが可能となる。
【００２３】
また上記突出フィン４３は，上枠１の枠長手方向に縦小桟３の軸支位置を中心とする円弧に沿うようにその縁部を円形とした，例えば略１／４円乃至１／３円程度の直立円弧板をなすようにしてあるから，該突出フィン４３と上枠１の壁面１３との相対的位置関係は，上下枠１，２の傾斜角度如何に拘らずに常に一定となることによって，その近接間隔は上記数ｍｍ以下，特に１〜２ｍｍ程度に維持されて，フェンスＡの設置角度によって突出フィン４３と壁面１３との間の間隔が拡大したりすることはないから，キャップ４取り外しの不能性を常に維持して，指差し込み可能性に対する安全性を高度に確保したものとすることができる。
【００２４】
図中５は対向枠，特に上下枠１，２の長手方向両端に設置し，これら上下枠１，２を図示省略の支柱に対して回動自在に連結するフェンスＡ取付用の連結ブラケットである。
【００２５】
図示した例は以上のとおりとしたが，対向枠を左右縦枠，交差桟を横小桟とし且つ上記キャップ嵌着を横小桟の長手方向双方の左右端とすることによって，横格子のフェンスにおいて垂直の左右縦枠と角度を変化する横小桟との間で同様に指差し込み可能性に対する安全性を確保するようにすること，この場合上記例の具体的構成を適用すること，上下枠又は縦枠の対向枠を開口溝を備えたものとするとき，その壁面を，枠自体の天壁（又は底壁）とすることなく，深さ方向中間に設置した中間壁とし，また起立フィンを備えたものとするとき，その枠上面，下面，垂直面等の枠対向壁とすること，キャップの先端を，該キャップを対向枠の壁面に向けて膨出した球面や膨出面によって頂部を形成したものとし，該頂部を対向枠の壁面に近接配置すること等を含めて，フェンス，対向枠，交差桟，脚部，キャップ，必要に応じて用いる突出フィン等の各具体的形状，構造，材質，これらの関係，これらに対する付加等は，上記発明の要旨に反しない限り様々の形態とすることができる。
【図面の簡単な説明】
【００２６】
【図１】フェンスの正面図である。
【図２】フェンスの縦断面図である。
【図３】縦小桟と上枠との関係を示す部分切欠拡大図である。
【図４】上枠を傾斜状態とした同じく縦小桟と上枠との関係を示す部分切欠拡大図である。
【図５】キャップの斜視図である。
【符号の説明】
【００２７】
Ａ  フェンス
１  上枠
１１  開口溝
１２  天壁
１４  軸支金具
２  下枠
２４  軸支金具
３  縦小桟
４  キャップ
４１  キャップ基部
４２  頂部
４３  突出フィン
４４  脚部
【図１】
2005068854.tif 000003
【図２】
2005068854.tif 000004
【図３】
2005068854.tif 000005
【図４】
2005068854.tif 000006
【図５】
2005068854.tif 000007